【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
物体側より像側へ順に配置された、負の屈折力の第１レンズ群、正の屈折力の第２レンズ群、負の屈折力の第３レンズ群、負の屈折力の第４レンズ群、正の屈折力の第５レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、広角端から望遠端までのズーミングにおける前記第３レンズ群の移動量をｍ３とし、該移動量の符号は前記第３レンズ群が広角端に比べて望遠端において像側に位置するときを正とするとき、
０．８５＜｜ｆ３／ｆｗ｜＜３．１５
−１．６０＜ｍ３／ｆｗ＜−１．００
なる条件式を満足することを特徴とするズームレンズ。
【請求項２】
物体側より像側へ順に配置された、負の屈折力の第１レンズ群、正の屈折力の第２レンズ群、負の屈折力の第３レンズ群、負の屈折力の第４レンズ群、正の屈折力の第５レンズ群、正の屈折力の第６レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、広角端から望遠端までのズーミングにおける前記第３レンズ群の移動量をｍ３とし、該移動量の符号は前記第３レンズ群が広角端に比べて望遠端において像側に位置するときを正とするとき、
０．８５＜｜ｆ３／ｆｗ｜＜３．１５
−１．６０＜ｍ３／ｆｗ＜−１．００
なる条件式を満足することを特徴とするズームレンズ。
【請求項３】
物体側より像側へ順に配置された、負の屈折力の第１レンズ群、正の屈折力の第２レンズ群、負の屈折力の第３レンズ群、負の屈折力の第４レンズ群、正の屈折力の第５レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、前記第４レンズ群の焦点距離をｆ４、広角端から望遠端までのズーミングにおける前記第４レンズ群の移動量をｍ４とし、該移動量の符号は前記第４レンズ群が広角端に比べて望遠端において像側に位置するときを正とするとき、
１．２０＜ｆ４／ｆ３＜１１．５０
−１．８０＜ｍ４／ｆｗ＜−１．２５
なる条件式を満足することを特徴とするズームレンズ。
【請求項４】
物体側より像側へ順に配置された、負の屈折力の第１レンズ群、正の屈折力の第２レンズ群、負の屈折力の第３レンズ群、負の屈折力の第４レンズ群、正の屈折力の第５レンズ群、正の屈折力の第６レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、前記第４レンズ群の焦点距離をｆ４、広角端から望遠端までのズーミングにおける前記第４レンズ群の移動量をｍ４とし、該移動量の符号は前記第４レンズ群が広角端に比べて望遠端において像側に位置するときを正とするとき、
１．２０＜ｆ４／ｆ３＜１１．５０
−１．８０＜ｍ４／ｆｗ＜−１．２５
なる条件式を満足することを特徴とするズームレンズ。
【請求項５】
ズーミングに際して前記第２レンズ群と一体的に移動する開口絞りを有し、広角端において無限遠物体にフォーカスしているときの前記開口絞りから前記第３レンズ群の最も物体側のレンズ面までの光軸上の距離をｄｐ３とするとき、
０．０７＜ｄｐ３／ｆｗ＜０．４５
なる条件式を満足することを特徴とする請求項１乃至４のいずれか１項に記載のズームレンズ。
【請求項６】
前記第３レンズ群の光軸上の厚みをＴＤ３とするとき、
０．０３＜ＴＤ３／ｆｗ＜０．１４
なる条件式を満足することを特徴とする請求項１乃至５のいずれか１項に記載のズームレンズ。
【請求項７】
前記第３レンズ群の最も物体側のレンズ面の曲率半径と、前記第３レンズ群の最も像側のレンズ面の曲率半径をそれぞれＲ３ｏ、Ｒ３ｉとするとき、
−０．８０＜（Ｒ３ｉ−Ｒ３ｏ）／（Ｒ３ｉ＋Ｒ３ｏ）＜−０．３０
なる条件式を満足することを特徴とする請求項１乃至６のいずれか１項に記載のズームレンズ。
【請求項８】
前記第１レンズ群の焦点距離ｆ１とするとき、
１．３０＜｜ｆ１／ｆｗ｜＜１．８３
なる条件式を満足することを特徴とする請求項１乃至７のいずれか１項に記載のズームレンズ。
【請求項９】
前記第２レンズ群の焦点距離ｆ２とするとき、
０．７０＜ｆ２／ｆｗ＜１．２８
なる条件式を満足することを特徴とする請求項１乃至８のいずれか１項に記載のズームレンズ。
【請求項１０】
前記第２レンズ群は、正の屈折力の第１部分群と正の屈折力の第２部分群からなり、像ぶれ補正に際して、前記第１部分群は光軸に対して垂直方向の成分を持つ方向に移動することを特徴とする請求項１乃至９のいずれか１項に記載のズームレンズ。
【請求項１１】
前記第１部分群は１つのレンズ要素からなることを特徴とする請求項１０に記載のズームレンズ。
【請求項１２】
広角端から望遠端へのズーミングに際して、前記第１レンズ群は像側に凸状の軌跡で移動することを特徴とする請求項１乃至１１のいずれか１項に記載のズームレンズ。
【請求項１３】
前記第３レンズ群は１つのレンズ要素からなることを特徴とする請求項１乃至１２のいずれか１項に記載のズームレンズ。
【請求項１４】
前記第４レンズ群は１つのレンズ要素からなることを特徴とする請求項１乃至１３のいずれか１項に記載のズームレンズ。
【請求項１５】
前記第５レンズ群は１つのレンズ要素からなることを特徴とする請求項１乃至１４のいずれか１項に記載のズームレンズ。
【請求項１６】
請求項１乃至１５のいずれか１項に記載のズームレンズと、該ズームレンズによって形成される像を受光する撮像素子とを有することを特徴とする撮像装置。
【手続補正２】
【補正対象書類名】明細書
【補正対象項目名】００１２
【補正方法】変更
【補正の内容】
【００１２】
本発明のズームレンズは、物体側より像側へ順に配置された、負の屈折力の第１レンズ群、正の屈折力の第２レンズ群、負の屈折力の第３レンズ群、負の屈折力の第４レンズ群、正の屈折力の第５レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、広角端から望遠端までのズーミングにおける前記第３レンズ群の移動量をｍ３とし、該移動量の符号は前記第３レンズ群が広角端に比べて望遠端において像側に位置するときを正とするとき、
０．８５＜｜ｆ３／ｆｗ｜＜３．１５
−１．６０＜ｍ３／ｆｗ＜−１．００
なる条件式を満足することを特徴としている。
この他、本発明のズームレンズは、物体側より像側へ順に配置された、負の屈折力の第１レンズ群、正の屈折力の第２レンズ群、負の屈折力の第３レンズ群、負の屈折力の第４レンズ群、正の屈折力の第５レンズ群、正の屈折力の第６レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、広角端から望遠端までのズーミングにおける前記第３レンズ群の移動量をｍ３とし、該移動量の符号は前記第３レンズ群が広角端に比べて望遠端において像側に位置するときを正とするとき、
０．８５＜｜ｆ３／ｆｗ｜＜３．１５
−１．６０＜ｍ３／ｆｗ＜−１．００
なる条件式を満足することを特徴としている。
【手続補正３】
【補正対象書類名】明細書
【補正対象項目名】００１３
【補正方法】変更
【補正の内容】
【００１３】
この他、本発明のズームレンズは、物体側より像側へ順に配置された、負の屈折力の第１レンズ群、正の屈折力の第２レンズ群、負の屈折力の第３レンズ群、負の屈折力の第４レンズ群、正の屈折力の第５レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、前記第４レンズ群の焦点距離をｆ４、広角端から望遠端までのズーミングにおける前記第４レンズ群の移動量をｍ４とし、該移動量の符号は前記第４レンズ群が広角端に比べて望遠端において像側に位置するときを正とするとき、
１．２０＜ｆ４／ｆ３＜１１．５０
−１．８０＜ｍ４／ｆｗ＜−１．２５
なる条件式を満足することを特徴としている。
この他、本発明のズームレンズは、物体側より像側へ順に配置された、負の屈折力の第１レンズ群、正の屈折力の第２レンズ群、負の屈折力の第３レンズ群、負の屈折力の第４レンズ群、正の屈折力の第５レンズ群、正の屈折力の第６レンズ群より構成され、ズーミングに際して隣り合うレンズ群の間隔が変化するズームレンズであって、フォーカシングに際して前記第３レンズ群が光軸方向に移動し、広角端における全系の焦点距離をｆｗ、前記第３レンズ群の焦点距離をｆ３、前記第４レンズ群の焦点距離をｆ４、広角端から望遠端までのズーミングにおける前記第４レンズ群の移動量をｍ４とし、該移動量の符号は前記第４レンズ群が広角端に比べて望遠端において像側に位置するときを正とするとき、
１．２０＜ｆ４／ｆ３＜１１．５０
−１．８０＜ｍ４／ｆｗ＜−１．２５
なる条件式を満足することを特徴としている。